(57)【要約】【課題】本発明は、レンズの霧を防止することができるレンズ構造を提供する。【解決手段】本発明に係るレンズ構造は、第一鏡筒及び第二鏡筒を備える。第一鏡筒は、第二鏡筒に対向する固定面を有し、第二鏡筒は、第一鏡筒に対向する連接面を有し、固定面には、少なくとも１つの凹部が形成され、第一鏡筒の固定面及び第二鏡筒連接面を組み合わせた後、凹部は、レンズ構造内の気体を排出するために用いられる。【選択図】図３
2014146026.tif 000002
【特許請求の範囲】
【請求項１】
第一鏡筒及び第二鏡筒を備えるレンズ構造において、前記第一鏡筒は、前記第二鏡筒に対向する固定面を有し、前記第二鏡筒は、前記第一鏡筒に対向する連接面を有し、前記固定面には、少なくとも１つの凹部が形成され、第一鏡筒の固定面及び第二鏡筒連接面を組み合わせた後、前記凹部は、前記レンズ構造内の気体を排出するために用いられることを特徴とするレンズ構造。
【請求項２】
前記第一鏡筒の内部には、第一収容キャビティが設けられ、第一収容キャビティ内には、第１レンズ群が設けられ、前記第二鏡筒の内部には、第二収容キャビティが設けられ、第二収容キャビティ内には、第２レンズ群が設けられることを特徴とする請求項１に記載のレンズ構造。
【請求項３】
前記固定面の内縁には、凹んだ位置決め部が形成されており、前記位置決め部は、環状を呈し且つ第一鏡筒の中心軸を囲み、前記位置決め部の表面には、前記凹部及び複数のネジ孔が形成され、前記凹部は、位置決め部の内縁から位置決め部の外縁まで延伸し、前記第二鏡筒の端部には、前記位置決め部に対応する固定環が形成され、該固定環には、前記位置決め部上のネジ孔に対応する複数のネジ孔が設けられ、前記固定環は、第一鏡筒に対向する前記連接面を備え、前記第二鏡筒の固定環は、第一鏡筒の位置決め部の中に嵌入され、固定環のネジ孔を介して、ネジを前記位置決め部のネジ孔に螺合することにより、第二鏡筒を第一鏡筒上に固定し、前記固定環の連接面は、位置決め部の表面に貼接されることを特徴とする請求項１又は２に記載のレンズ構造。
【請求項４】
前記固定環には、さらに、前記凹部に対応する通気孔が設けられ、前記通気孔は前記固定環を貫通することを特徴とする請求項３に記載のレンズ構造。
【発明の詳細な説明】
【技術分野】
【０００１】
本発明は、レンズ構造に関し、特にプロジェクターのレンズ構造に関するものである。
【背景技術】
【０００２】
従来のプロジェクターのレンズ構造は、一般的に、２つのレンズ群を備える。２つのレンズ群は、２つの鏡筒内にそれぞれ取り付けられ、２つの鏡筒を組み合わせることによって、レンズ構造を構成する。プロジェクターを作動させると、光源は大量の熱を発生する。従って、レンズ構造において、この光源から発生した熱は、光源に近い後レンズ群から光源から離れた前レンズ群へ徐々に伝導される。また、熱の伝導過程において、２つの鏡筒の間に形成されている密閉空間の気体は、相対的に大きな温度差ができる。これにより、低温の前レンズ群における最後のレンズの表面上に霧が生成される可能性があるため、このような場合、投影された画像がはっきりせず、プロジェクターの初期使用に影響を与える。
【発明の概要】
【発明が解決しようとする課題】
【０００３】
前記課題を解決するために、本発明は、レンズの霧を防止することができるレンズ構造を提供する。
【課題を解決するための手段】
【０００４】
本発明に係るレンズ構造は、第一鏡筒及び第二鏡筒を備える。前記第一鏡筒は、前記第二鏡筒に対向する固定面を有し、前記第二鏡筒は、前記第一鏡筒に対向する連接面を有し、前記固定面には、少なくとも１つの凹部が形成され、第一鏡筒の固定面及び第二鏡筒連接面を組み合わせた後、前記凹部は、前記レンズ構造内の気体を排出するために用いられる。
【発明の効果】
【０００５】
従来の技術と比べて、本発明のレンズ構造は、第一鏡筒と第二鏡筒との接合箇所に、複数の凹部が形成されるので、接合面の面積を減少し、且つ接合箇所の間隙を増加させることができる。これにより、第一鏡筒と第二鏡筒との間の気体は、レンズ構造の外部に容易に排出され、温度差によってできる霧の生成を防止できるため、初期使用の際に、レンズ構造は、投影した画像をはっきりさせることができる。
【図面の簡単な説明】
【０００６】
【図１】本発明の実施形態に係るレンズ構造の斜視図である。
【図２】図１に示したレンズ構造の第一鏡筒の斜視図である。
【図３】図１に示したレンズ構造の断面図である。
【発明を実施するための形態】
【０００７】
以下、図面を参照して、本発明の実施形態について説明する。
【０００８】
図１を参照すると、本発明の実施形態に係るレンズ構造１０は、第一鏡筒１２及び第二鏡筒１４を備える。第一鏡筒１２は、その両端に位置する投影端１２２及び固定端１２４を備える。投影端１２２は、画像ビームを投影するために用いられる。固定端１２４は、第二鏡筒１４と組み合わせるために用いられる。第二鏡筒１４は、その両端に位置する受光端１４２及び連接端１４４を備える。受光端１４２は、光源の画像ビームを受け取り且つこの画像ビームを第一鏡筒１２に伝導するために用いられる。連接端１４４は、第一鏡筒１２に連接されるために用いられる。第一鏡筒１２及び第二鏡筒１４は、組み合わせられた後、同一の光軸を有する。
【０００９】
図２を参照すると、第一鏡筒１２の内部には、第一収容キャビティ１２０が設けられ、この第一収容キャビティ１２０内には、第１レンズ群１２０２が設けられている（図３を参照）。第１レンズ群１２０２は、一つの光軸を有する。第一鏡筒１２の固定端１２４は、第二鏡筒１４に対向する環状の固定面１２６を備える。固定面１２６の内縁には、凹んだ位置決め部１２６２が形成されている。位置決め部１２６２は、環状を呈し且つ第一鏡筒１２の中心軸を囲んでいる。位置決め部１２６２の表面には、複数の凹部１２６４及び複数のネジ孔１２６６が形成されており、凹部１２６４は、ほぼ半円状の窪みであり、且つ位置決め部１２６２の内縁から位置決め部１２６２の外縁まで延伸している。複数の凹部１２６４及び複数のネジ孔１２６６は、交互に設置されている。本実施形態において、複数の凹部１２６４及び複数のネジ孔１２６６は、等角に交差して設置される。第二鏡筒１４の内部には、第二収容キャビティ１４０が設けられ、第二収容キャビティ１４０内には、第２レンズ群１４０２が設けられている。第２レンズ群１４０２は、一つの光軸を有する。第二鏡筒１４の連接端１４４の端部には、位置決め部１２６２に対応する固定環１４４２が形成されている。固定環１４４２には、位置決め部１２６２上のネジ孔１２６６に対応する複数のネジ孔１４４４が設けられており、且つ第一鏡筒１２に対向する連接面１４４６を備える。本実施形態において、第一鏡筒１２及び第二鏡筒１４は、金属材料からなる。
【００１０】
第一鏡筒１２及び第二鏡筒１４を組み合わせる際、先ず、第二鏡筒１４の固定環１４４２を第一鏡筒１２の固定端１２４の中に嵌入して、固定環１４４２の連接面１４４６を第一鏡筒１２の位置決め部１２６２の表面に貼接させる。次に、固定環１４４２のネジ孔１４４４を介して、ネジ１６を位置決め部１２６６のネジ孔に螺合することにより、第二鏡筒１４を第一鏡筒１２上に固定する。
【００１１】
第一鏡筒１２及び第二鏡筒１４を組み合わせた後、第一鏡筒１２内の第１レンズ群１２０２と第二鏡筒１４内の第２レンズ群１４０２は、同一の光軸を有する。第１レンズ群１２０２における最後のレンズ１２００（即ち、第一鏡筒１２の固定端１２４に近いレンズ）と、第２レンズ群１４０２における最前のレンズ１４００（即ち、第二鏡筒１４の連接端１４４に近いレンズ）との間には空間が形成される。該空間内の気体において、相対的な大きな温度差ができた場合、気体をレンズ構造１０の外部に素早く排出しなければ、第１レンズ群１２０２の最後のレンズ１２００上に霧が生成される可能性があるため、レンズ構造１０の初期使用効果に影響を与える。しかし、本実施形態において、位置決め部１２６２の表面に複数の凹部１２６４が形成されているので、第二鏡筒１４の固定環１４４２と第一鏡筒１２の位置決め部１２６２との接合箇所により多くの間隙が形成され、第二鏡筒１４の受光端１４２の温度が光源によって上昇された場合、第２レンズ群１４０２における最前のレンズ１４００周囲の気体は、複数の凹部１２６４が第一鏡筒１２と第二鏡筒１４との接合箇所に形成された間隙からレンズ構造１０の外部に排出される。これにより、第２レンズ群１４０２における最前のレンズ１４００と第１レンズ群１２０２における最後のレンズ１２００との間に相対的な大きな温度差ができることによって霧が生成されるのを防止することができるため、初期使用の際に、レンズ構造１０は、投影した画像をはっきりさせることができる。
【００１２】
本発明の実施形態において、固定環１４４２には、さらに、凹部１２６４に対応する通気孔１４４０を設けることができる。これにより、通気孔１４４０は、気体を直接的に排出することができるため、レンズ構造１０の気体排出効果を向上することができる。
【００１３】
本発明のレンズ構造１０は、第一鏡筒１２と第二鏡筒１４との接合箇所に、複数の凹部１２６４が形成されるので、接合面の面積を減少し、且つ接合箇所の間隙を増加させることができる。これにより、第一鏡筒１２と第二鏡筒１４との間の気体は、レンズ構造１０の外部に容易に排出され、温度差によってできる霧の生成を防止できるため、初期使用の際に、レンズ構造１０は、投影した画像をはっきりさせることができる。
【符号の説明】
【００１４】
１０  レンズ構造
１２  第一鏡筒
１２０  第一収容キャビティ
１２００  最後のレンズ
１２０２  第１レンズ群
１２２  投影端
１２４  固定端
１２６  固定面
１２６２  位置決め部
１２６４  凹部
１２６６、１４４４  ネジ孔
１４  第二鏡筒
１４０  第二収容キャビティ
１４００  最前のレンズ
１４０２  第２レンズ群
１４２  受光端
１４４  連接端
１４４０  通気孔
１４４２  固定環
１４４６  連接面
１６  ネジ
【図１】
2014146026.tif 000003
【図２】
2014146026.tif 000004
【図３】
2014146026.tif 000005